(57)【要約】      （修正有）【課題】ゴルフプレイ時に必要となる小物類を確実かつ確認可能な状態で収納し、必要に応じて適宜取り出し可能なゴルフ用小物携行ホルダーを提供する。【解決手段】少なくともグリーンフォークを挿入する袋状部１６を備えたホルダー本体であってその裏面に面ファスナーの一方の面１２が固着されたゴルフ用小物携行ホルダー本体１０を形成する。前記面ファスナーの一方の面１２に対して係合連結する他方の面を備え、その裏面に所望部位に接着可能な接着剤が塗布された面ファスナーベース部を適宜部位に接着する。この面ファスナーベース部に対して前記ゴルフ用小物携行ホルダー本体１０を係合連結させる。【選択図】図１
0003140825.tif 000002
【実用新案登録請求の範囲】
【請求項１】
少なくともグリーンフォークを挿入する袋状部を備えたホルダー本体であって、その裏面に面ファスナーの一方の面が固着されたゴルフ用小物携行ホルダー本体と、前記面ファスナーの一方の面と係合連結する面ファスナーの他方の面を備え、その裏面に所望部位に接着可能な接着剤が塗布された面ファスナーベース部と、の組合せからなることを特徴とするゴルフ用小物携行ホルダー。
【請求項２】
前記ホルダー本体のグリーンフォークを挿入する袋状部に加えて、中央付近に小孔を形成し、端部から該小孔に通じる切れ込みを備えたグリーンマーカー保持部を付加した、ことを特徴とする請求項１に記載のゴルフ用小物携行ホルダー。
【請求項３】
前記ホルダー本体のグリーンフォークを挿入する袋状部に対して、さらに1ないし数本のティー保持部を付加した、ことを特徴とする請求項１または２のいずれかに記載のゴルフ用小物携行ホルダー。
【考案の詳細な説明】
【技術分野】
【０００１】
本考案は、ゴルフプレイの間にマナー上ないしプレイヤーの便宜上携行する必要がある小物、特にグリーンフォーク、グリーンマーカー、ティー等を保持するためのゴルフ用小物携行ホルダーに関する。
【背景技術】
【０００２】
ゴルフのプレイにあたっては、プレイに相応しい着衣、防止、靴等はもとより、用途や番手の異なるウッドおよびアイアンのゴルフクラブ並びにゴルフボール等の主要具に加えて、ティー、グリーンマーカー、グリーンフォーク等の各種小物が必要となる。これらゴルフ用小物の携行にあたっては、ゴルフプレイヤーのポケットに収納することが多い。
【０００３】
しかしながら、これら小物類をポケットに収納する場合、グリーンマーカーのように小型軽量品であれば問題は少ないが、長さの異なる複数のティーを必要とする場合やグリーン上のボール痕を修正するグリーンフォークにあっては嵩張るものも多くなり、コース移動時やプレイ時に違和感を覚えることも多い。さらに、ロングティーやグリーンフォーク等をポケットに収納すればポケット生地を傷めることになる。また荒天時のプレイにあっては雨除け外衣を着用することになりポケット内収納物の取り出しおよび再収納は余分な手間を要することになり好ましくない。また、グリーンフォークにあっては携行しないプレイヤーが多くゴルフマナー上好ましくない。
【０００４】
このようなゴルフ用小物を携行する際の便宜を考慮して、特許文献1は、グリーンフォークを挿入しておくための小形ポケット状のグリーンフォーク収容部１６が適宜部分に縫合固着されたゴルフシューズを開示している。この場合のグリーンフォーク収容部１６は、文字通りグリーンフォークを挿入するものであって他の小物類の収容は想定していない。また、ここではゴルフシューズに対して一体的に縫合固定するものであり、製靴段階ないし製靴後に専門家の手によって縫い付け処理が行われることを想定している。
【０００５】
特許文献２は、ゴルフシューズに固定部材（磁性体プレート）を固着しておき、この固定部材に対してそれぞれ強力な磁石の取り付けられたグリーンフォークやグリーンマーカーを吸着保持する構成を開示している。この場合、ゴルフシューズに磁性体の固定部材を予め固着しておき、さらにグリーンフォークやグリーンマーカーには各々磁石を取り付けておかねばならない。特許文献３は、ズボンのポケットに収容可能な形状に形成されたゴルフ用携行品ホルダを開示している。このゴルフ用携行品ホルダは、ティーやグリーンマーカー等の一部を露出された状態で収納可能に形成されるため、ポケット内で目的の携行品を取り出せるように配慮したものである。この場合、ポケット内に乱雑に入り混じっているよりは簡潔な取出しが可能ではあるが、雨天時などに取出しが困難である問題点は解消できていない。
【特許文献１】特開２００１−１２８７０４
【特許文献２】特開２００７−１９５９２３
【特許文献２】特開２００５−４８２
【考案の開示】
【考案が解決しようとする課題】
【０００６】
本考案の課題は、ゴルフプレイ時に必要となる小物類を確実かつ確認可能な状態で収納し、必要に応じて適宜取り出し可能なゴルフ用小物携行ホルダーを提供することである。
【課題を解決するための手段】
【０００７】
請求項１に記載の考案は、少なくともグリーンフォークを挿入する袋状部１６を備えたホルダー本体であって、その裏面に面ファスナーの一方の面１２が固着されたゴルフ用小物携行ホルダー本体１０と、前記面ファスナーの一方の面と係合連結する面ファスナーの他方の面を備え、その裏面２４に所望部位に接着可能な接着剤が塗布された面ファスナーベース部２０と、の組合せからなるゴルフ用小物携行ホルダーであることを特徴とする。
【０００８】
請求項２に記載の考案は、前記ホルダー本体１０のグリーンフォークを挿入する袋状部１６に加えて、中央付近に小孔１８ｈを形成し、端部から該小孔に通じる切れ込み１８ｎを備えたグリーンマーカー保持部１８を付加したゴルフ用小物携行ホルダーであることを特徴とする。
【０００９】
請求項３に記載の考案は、前記ホルダー本体１０のグリーンフォークを挿入する袋状部１６に対して、さらに1ないし数本のティー保持部２６を付加したゴルフ用小物携行ホルダーであることを特徴とする。
【考案の効果】
【００１０】
本考案に係るゴルフ用小物携行ホルダーは、ホルダー本体の表側に少なくともグリーンフォークを収納する袋状部備え、さらに好ましくはグリーンマーカー、ティー等を挿入する収納構造を備え、その裏面に固着されている面ファスナーの一方の面によって、任意面に接着固定し得る面ファスナーベース部の連結面に対して着脱自在に構成されている。この面ファスナーベース部は、その裏面の接着剤層によってゴルフシューズの任意部位、帽子のひさし部、ベルト、ゴルフウエアの特にズボンのポケット付近等のプレイ時の諸動作に支障を生じない部位に接着しておき、必要に応じてホルダー本体を係合連結することができる。かかる構成を採用した結果、グリーンフォーク、グリーンマーカー、ティー等のゴルフ用小物を必要に応じて手軽かつ確実に取り出すことができ、ゴルフプレイを迅速かつ快適に進行することができる。
【００１１】
上述の面ファスナーの代表例はマジックテープ（登録商標）であり、一方の面に合成繊維による微小ループが多数形成されており、対向する面ファスナーの他面には前記多数の微小ループと絡み合う微小突起部が多数密植されていて、両面を対面させながら押圧することにより係合連結状態となる。係合連結を引き離す場合は手指により引き剥がすことで連結状態を容易に解除することができる。このような面ファスナーベース部の裏面に接着剤を塗布し、使用するまでの間は剥離紙で被覆保護しておく。
【００１２】
使用にあたっては、剥離紙を除去し所要場所に押圧しながら接着する。本考案に係るゴルフ用小物収納ホルダーにあっては、面ファスナーベース部を適宜箇所、例えばゴルフシューズの前方側で靴紐を避けた部位、帽子の庇などに接着固定しておき、収納部本体裏面の面ファスナーに対向する係合連結面を押圧固定すればよい。なお、面ファスナーの取り付け部位はプレーヤー個々の好みに応じて任意場所を選択して接着固定することができる。
【考案を実施するための最良の形態】
【００１３】
以下、添付図を参照しつつ本考案に係るゴルフ用小物携行ホルダーを開示する。図１は、本考案に係るゴルフ用小物携行ホルダーのホルダー本体の構成例を示すもので、図２は面ファスナーベース部の構成例を示すものであり、それぞれを示す図面を第３角法により描いたものである。ここで、面ファスナーとは、マジックテープ（登録商標）のように面状に形成された多数のループ状化繊糸群からなる１面と、かかる１面に対抗するように密植された多数の突起群からなる他面とによって形成され、これら両面の係合・離脱が容易な随時接合部材を指すものである。
【００１４】
図１におけるゴルフ用小物携行ホルダー本体１０は、面ファスナーの一面１２の表側にホルダー基部１４が固着されている。図１の底面図に示す面ファスナーの下面は、図２に示す面ファスナーの他面（平面図に示す面）と着脱自在に係合連結されるものである。ホルダー基部１４は、若干の柔軟性を保持しながら比較的固めであるプラスチックシートやキャンバス地などにより構成することができ、その上面には図示していないグリーンフォークを収納するための袋状部１６が一体的に接着される。この袋状部１６は、収納すべきグリーンフォークの形状および寸法を考慮して、グリーンフォークの先端から１/２〜２/３程度が確実に挿入可能であって、過度の遊びが無いように形成することが望ましい。予期しない脱落や紛失等を防止するためである。
【００１５】
袋状部１６の上面の一部には、必須ではないが図示していないグリーンマーカーを挟持する様に保持するためのグリーンマーカー保持部１８を追加的に設けることができる。このグリーンマーカー保持部１８には、中央付近の小孔１８ｈと、切れ込み１８ｎがそれぞれ設けられると、安定保持、確実な保持収納および取り出しを可能にする上で都合が良い。図１に示す底面図は、図２に示した面ファスナーのベース部２０の上面２２と係合連結可能な表面構造を表わすものである。
【００１６】
図２は面ファスナーのベース部２０を示すものである。面ファスナーのベース部２０は、図１の底面図に示した面ファスナーの一面に対して係合連結可能な構造の面ファスナーの他面２２と、図示していない被接着部に対して接着固定するための接着面２４（図２の底面図）と、を貼り合わせて構成されている。なお、図２の底面図に描かれた接着面２４は、被接着面に押圧接着されるまでの間、他物との不所望の接着を防止するために剥離紙によって保護されている。
【００１７】
本考案に係るゴルフ用小物携行ホルダーを使用するにあたっては、図２に示した面ファスナーのベース部２０の裏面２４側の剥離紙を除去し、所望部位、例えば左右いずれかのゴルフシューズ爪先部近傍で取り扱い上都合の良い部位に貼付する。そして、図１に示したゴルフ用小物携行ホルダー本体１０の裏面に相当する面ファスナーの一面である底面１２によって、面ファスナーのベース部２０の表面２２に係合連結させればよい。
【００１８】
図３は本考案に係るゴルフ用小物携行ホルダーを使用する場合の構成例を示すものであり、図（Ａ）は、グリーンフォークおよびグリーンマーカー収納部を有する実施態様を示し、図（Ｂ）は、グリーンフォークおよびグリーンマーカーに加えてティー収納部２６を付加した他の実施形態を示すものである。
【００１９】
本考案に係るゴルフ用小物携行ホルダーを使用するに際しては、図に示すように、袋状部１６に対して、両頭矢印方向にグリーンフォークを収納しておき、必要時に袋状部１６からグリーンフォークを取り出し使用する。また、グリーンマーカー保持部１８にマーカーに形成される切れ込み１８ｎを介して針状の脚部を小孔１８ｈに突出するように収納しておき、必要時にグリーンマーカー保持部１８からグリーンマーカーを取り出し使用する。なお、ティー収納部は図に示した部位に限定されることはなく、任意の部位に設けることができる。
【産業上の利用可能性】
【００２０】
本考案に係るゴルフ用小物携行ホルダーの使用にあたって、ゴルファーの好みによる適宜部位、例えばゴルフシューズの先端側、帽子の庇または側面、ベルト、ゴルフウエア等に取り付けることができる。グリーンフォークの収納および取り出しは、図３に示した両頭矢印のように行われるから、ゴルファーの体型や利き手に応じて都合の良い部位を任意に選定することができる。ゴルフシューズや帽子の庇等に対して取り付けることにより、荒天時の雨よけコートやオーバーズボン等を着用している場合であっても取出し・収納の支障は生じない。その結果、グリーンフォーク、グリーンマーカー、ティー等のゴルフ用小物類を必要に応じて適時取出し・収納が可能となり、快適なゴルフプレイを続けることができる。
【図面の簡単な説明】
【００２１】
【図１】本考案に係るゴルフ用小物携行ホルダーのホルダー本体の構成例を示す図である。
【図２】本考案に係るゴルフ用小物携行ホルダーの面ファスナーベース部の構成例を示す図である。
【図３】本考案に係るゴルフ用小物携行ホルダーのホルダー本体の実施の形態を示す斜視図である。
【符号の説明】
【００２２】
１０    ゴルフ用小物携行ホルダー本体
１２    面ファスナーの一面
１４    ホルダー基部
１６    袋状部
１８    グリーンマーカー保持部
１８ｈ  小孔
１８ｎ  切れ込み
２０    面ファスナーベース部
２２    面ファスナーの他面
２４    ベース部の裏面（ベース部の接着面）
２６    ティー収納部
【図１】
0003140825.tif 000003
【図２】
0003140825.tif 000004
【図３】
0003140825.tif 000005